(57)【要約】      （修正有）【課題】油回転ポンプを停止した時、油回転ポンプに内在する油が密閉容器内部の負圧により引っ張られて侵入漏出し汚染されることを防止した油漏洩防止装置を提供する。【解決手段】油回転真空ポンプのための逆止弁であって、ハウジング１と、球体の弁体２と、シール３と、弁座４とで構成され、油回転真空ポンプの運転中には、逆止弁に密閉容器の気体が流入することにより、弁体２は弁座４に鎮座し、気体は、ハウジング１内面と弁体２の間の空間部、弁座４に設けられた穴を経由して油回転真空ポンプの吸入口へ流入するよう構成されており、油回転真空ポンプの正規又は不正規の運転停止時には、弁体２は逆流してきた油の浮力を受けてシール３のエッジ部に接触するまで上昇し、弁体２とシール３が接触した状態では、密閉容器側に油は逆流しないように構成されている。【選択図】図２
0003220387.tif 000002
【実用新案登録請求の範囲】
【請求項１】
密閉容器の気体を排出し該密閉容器内を真空状態にするために油回転ポンプが使用されるが、該油回転ポンプを運転中、正規もしくは不正規にその運転が停止されると密閉容器とそれと連結されている配管内部は負圧状態であり、該油回転ポンプに内在する油は大気圧力と接しているため大気圧力の状態である。該密閉容器あるいは該密閉容器と該油回転ポンプに連結されている配管内に該油が吸い込まれることになるが、これを阻止するため、該油による浮力を利用して該油回転ポンプと密閉容器及び上述した配管との連通を遮断することを特徴とする逆止弁。
【請求項２】
球形の弁体は中空であり、油の比重より軽い物質で形成されていることを特徴とする請求項１記載の逆止弁。
【請求項３】
外面がテーパー状であることを特徴とする請求項１又は２に記載の逆止弁。
【考案の詳細な説明】
【技術分野】
【０００１】
本考案は、油回転真空ポンプに関するものである。当該ポンプの吸い込み側と配管等で連結された密閉容器があり、電動機等の駆動機によって油回転真空ポンプを駆動し、該密閉容器内の圧力を大気圧以下の真空にするため、該密閉容器内の気体を該油回転真空ポンプの吸い込み側から吸い込み、該気体を油回転真空ポンプによって排出し、排出された該気体を大気圧以上に昇圧後大気に放出する真空装置であって、前記密閉容器と該油回転真空ポンプとの間に逆止弁を設置し、該密閉容器から排出される気体は該逆止弁を通って該油回転真空ポンプに吸入され方向に設置され、該油回転真空ポンプ内に吸入された気体は該油回転真空ポンプ昇圧作用を受け大気に放出されるが、運転中に停電、故障、誤動作等による該油回転真空ポンプの停止、あるいは正規に運転を停止したとき、該油回転真空ポンプ内に封入された油が負圧となった該密閉容器側に逆流することを防止する逆止弁に関するものである。
【背景技術】
【０００２】
油回転真空ポンプの正規運転停止や、停電、故障、誤動作等による運転停止があった場合、該油回転真空ポンプの排気側は大気圧となる。ところが、吸気側は減圧状態のままであり、この圧力差により油回転真空ポンプ内の油は排気側から大気圧力を受けて吸気口、吸気配管、最終的に該密閉容器まで逆流することになり、真空装置として油汚染にさらされ大変不都合なことになる。
従来、この逆流を防止するために、油回転真空ポンプが停止した時、吸気側を排気側と同圧(大気圧)にするため、自動リーク弁を該油回転真空ポンプの吸気側に設置し、該油回転真空ポンプの停止と同時に自動リーク弁を開き、吸気側を自動的に大気圧に戻す方法が採用され、手動操作の煩雑さ、ケアレスミス、不慮の停電時の対応が採られてきた。同様の防止策として、真空保持型自動リーク弁、逆流防止弁付油回転真空ポンプ等の方法が採用されてきたが、これらの手段はいずれも高価格、複雑な構造、自動制御系の必要性があった。
勿論、安価で、シンプルな構造、自動制御の必要のない逆止弁は工業界では存在はしていた。しかし、既存の収縮して取り付けられたスプリングバネの軸方向の力によって弁体を閉止する一般的に広く使用されている逆止弁は密封容器内の真空度が増加するにつれて気体の密度が低下し、やがて、スプリングバネを押し上げる力がなくなり、排気を継続することが不可能になり、これ以上密閉容器の真空度をアップする限界点があった。
【考案の概要】
【考案が解決しようとする課題】
【０００３】
油回転真空ポンプが正規、不正規を問わず、運転停止をしたとき、油回転真空ポンプ内の油は排気側から大気圧力を受けて吸気口、吸気配管、最終的に該密閉容器まで逆流し汚染に至るという不都合を防止するために、従来の防止策、例えば、自動リーク弁、真空保持型自動リーク弁、逆流防止弁付油回転真空ポンプ等があった。しかし、それらはいずれも高価格であり、複雑な構造を持ち、自動制御系や電源を必要とするものであり、安価で、簡単な構造を持ち、自動制御系や電源が全く必要としない手段を提供するものである。
【課題を解決するための手段】
【０００４】
上記目的を達するために、本考案は、図―１、図―２は該逆止弁を示される、１ハウジング、２弁体、３シール、４弁座で構成され、油回転真空ポンプが運転されると密閉容器の気体はA方向から該逆止弁に流入し、重力や流体力等により球体の弁体は弁座に鎮座し、ハウジング内面と球体である弁体の空間部、弁座に設けられた穴を経由して該油回転真空ポンプの吸入口へ流入し、該油回転真空ポンプ内で大気圧力以上に昇圧され大気中に放出される。
該油回転真空ポンプが正規、不正規を問わず、運転停止をしたとき、油回転真空ポンプ内の油は排気側から大気圧力を受けて、該逆止弁の図―２に示されるCの方向から逆止弁内に逆流しフリーの状態にある球体の中空弁体は逆流してきた油の浮力を受けて図―２に示されるようにシールのエッジ部に接触するまで上昇する。この弁体とシールが接触した状態では弁体は大気圧力で押圧されており、弁体の密閉容器側は負圧状態であるため気密は保持されるため密閉容器側に油は逆流することはない。
図―１本考案に係る、逆止弁の構造の一例で、該油回転真空ポンプが運転中の状態を示している。図―２は正規、不正規を問わず該油回転真空ポンプが運転停止され該油回転真空ポンプに内在する油が逆流し、その油による浮力を受けて球体の弁体がシールと接触し閉止状態にあることを示している。図―１、図―２ともに、１は逆止弁のハウジング、２は球体の弁体で中実、中空を問わず質量の軽いプラスチック製、３はシールでゴム材、４は弁座であり非鉄もしくは鋳鉄等で製造される。
【考案の効果】
【０００５】
一般的にスプリングで弁体を閉止する逆止弁は真空度が増加するにつれ気体の密度が低下するためスプリングによる押圧力に対抗してある負圧以下になると弁座を開く力を失い、その時点で密閉容器の排気をすることは不可能となる。この閉動作のために、流体力やスプリング力ではなく、該油回転真空ポンプに内在する油の逆流による浮力を利用することにより、安価、シンプルな構造、電気制御や電源が不要な逆止弁が提供できる。
【図面の簡単な説明】
【０００６】
【図１】逆止弁の正常空気流通断面図
【図２】油漏洩による閉止状態を示す断面図
【符号の説明】
【０００７】
１  ハウジング
２  弁体
３  シール
４  弁座
【図１】
0003220387.tif 000003
【図２】
0003220387.tif 000004
【手続補正書】
【提出日】平成30年10月11日(2018.10.11)
【手続補正１】
【補正対象書類名】実用新案登録請求の範囲
【補正対象項目名】全文
【補正方法】変更
【補正の内容】
【実用新案登録請求の範囲】
【請求項１】
油回転真空ポンプのための逆止弁であって、ハウジング（１）と、球体の弁体（２）と、シール（３）と、弁座（４）とで構成され、前記油回転真空ポンプの運転中には、前記逆止弁に密閉容器の気体が流入することにより、前記弁体（２）は前記弁座（４）に鎮座し、前記気体は、前記ハウジング（１）内面と前記弁体（２）の間の空間部、前記弁座（４）に設けられた穴を経由して前記油回転真空ポンプの流入口へ流入するよう構成されており、前記油回転真空ポンプの正規又は不正規の運転停止時には、前記弁体（２）は逆流してきた油の浮力を受けて前記シール（３）のエッジ部に接触するまで上昇し、前記弁体（２）と前記シール（３）が接触した状態では、密閉容器側に油は逆流しないように構成されている、ことを特徴とする逆止弁。
【請求項２】
球体の前記弁体（２）は中空であり、前記油回転真空ポンプに内在する油の比重より軽い物質で形成されていることを特徴とする請求項１記載の逆止弁。
【請求項３】
前記ハウジング（１）は、前記シール（３）の設けられる部分の手前部分の外面がテーパー状であることを特徴とする請求項１記載の逆止弁。
【手続補正書】
【提出日】平成30年12月6日(2018.12.6)
【手続補正１】
【補正対象書類名】実用新案登録請求の範囲
【補正対象項目名】全文
【補正方法】変更
【補正の内容】
【実用新案登録請求の範囲】
【請求項１】
油回転真空ポンプのための逆止弁であって、ハウジング（１）と、球体の弁体（２）と、シール（３）と、弁座（４）とで構成され、前記油回転真空ポンプの運転中には、前記逆止弁に密閉容器の気体が流入することにより、前記弁体（２）は前記弁座（４）に鎮座し、前記気体は、前記ハウジング（１）内面と前記弁体（２）の間の空間部、前記弁座（４）に設けられた穴を経由して前記油回転真空ポンプの吸入口へ流入するよう構成されており、前記油回転真空ポンプの正規又は不正規の運転停止時には、前記弁体（２）は逆流してきた油の浮力を受けて前記シール（３）のエッジ部に接触するまで上昇し、前記弁体（２）と前記シール（３）が接触した状態では、密閉容器側に油は逆流しないように構成されている、ことを特徴とする逆止弁。
【請求項２】
球体の前記弁体（２）は中空であり、前記油回転真空ポンプに内在する油の比重より軽い物質で形成されていることを特徴とする請求項１記載の逆止弁。
【請求項３】
前記ハウジング（１）は、前記シール（３）の設けられる部分の手前部分の外面がテーパー状であることを特徴とする請求項１記載の逆止弁。